(57)【要約】【課題】ユーザが行動支援のための情報をより受け入れやすい状況を生成可能な情報提供装置を提供する。【解決手段】本情報提供装置は、ユーザの感情・気分、心理及び性格の少なくとも１つに係るユーザ情報に応じた内容の情報を提供する装置であり、ユーザに係る事物又は事象についてのユーザにとっての目標を取得する目標取得手段と、ユーザに係る事物又は事象に係る情報を取得し、目標の達成度を決定する達成度決定手段と、ユーザ情報に基づいて、ユーザが目標を達成するための行動をとる心理状態になることを促すポジティブ情報を決定するポジティブ情報決定手段と、取得された事物又は事象に係る情報、決定された達成度、及び目標に係る情報のうちの少なくとも１つを含む、目標に向けてのユーザによる行動に係る行動情報を決定する行動情報決定手段と、ポジティブ情報を提供し、それと同時期に又はその後に、行動情報を提供する情報提供手段とを有する。【選択図】図１
2020170217.tif 000002
【特許請求の範囲】
【請求項１】
ユーザの感情・気分、心理及び性格の少なくとも１つに係るユーザ情報に応じた内容の情報を提供する装置であって、
当該ユーザに係る事物又は事象についての当該ユーザにとっての目標を取得する目標取得手段と、
当該ユーザに係る事物又は事象に係る情報を取得し、当該目標の達成度を決定する達成度決定手段と、
当該ユーザ情報に基づいて、当該ユーザが当該目標を達成するための行動をとる心理状態になることを促すポジティブ情報を決定するポジティブ情報決定手段と、
取得された事物又は事象に係る情報、決定された達成度、及び当該目標に係る情報のうちの少なくとも１つを含む、当該目標に向けての当該ユーザによる行動に係る行動情報を決定する行動情報決定手段と、
当該ポジティブ情報を提供し、それと同時期に又はその後に、当該行動情報を提供する情報提供手段と
を有することを特徴とする情報提供装置。
【請求項２】
前記情報提供手段は、当該ユーザ情報が所定条件を満たす場合に、当該ポジティブ情報を提供することを特徴とする請求項１に記載の情報提供装置。
【請求項３】
前記情報提供手段は、当該ユーザ情報が、感情・気分について正若しくは良好であることを示す情報である場合に、または、感情・気分について負若しくは不良であることを示す情報であることが連続してN回（Nは所定の自然数）未満である場合に、当該ポジティブ情報を提供することを特徴とする請求項２に記載の情報提供装置。
【請求項４】
前記情報提供手段は、当該ユーザ情報が、受け取った情報・意見を受容する傾向にあることを示す情報である場合に、当該ポジティブ情報を提供し、一方、当該ユーザ情報が、受け取った情報・意見を受容する傾向にないことを示す情報である場合、所定の遷移確率P（0≦P＜1）の下で当該ポジティブ情報を提供することを特徴とする請求項２又は３に記載の情報提供装置。
【請求項５】
前記情報提供手段は、当該所定の遷移確率Pを、決定された達成度に基づいて設定することを特徴とする請求項４に記載の情報提供装置。
【請求項６】
他のユーザに係る事物若しくは事象に係る情報、及び／又は当該他のユーザにおける目標の達成度を取得する他ユーザ達成情報取得手段を更に有し、
前記ポジティブ情報決定手段は、取得された当該他のユーザに係る事物若しくは事象に係る情報、及び／又は当該他のユーザにおける目標の達成度にも基づいて、当該ポジティブ情報を決定し、
前記情報提供手段は、当該ユーザ情報が、競争心が高い傾向にある、または、他人の状況に影響を受けやすい傾向にあることを示す情報である場合に、当該ポジティブ情報を提供する
ことを特徴とする請求項２から５のいずれか１項に記載の情報提供装置。
【請求項７】
前記ポジティブ情報決定手段は、取得された事物若しくは事象に係る情報、及び／又は決定された達成度にも基づいて、当該ポジティブ情報を決定することを特徴とする請求項１から６のいずれか１項に記載の情報提供装置。
【請求項８】
他のユーザに係る事物若しくは事象に係る情報、及び／又は当該他のユーザにおける目標の達成度を取得する他ユーザ達成情報取得手段を更に有し、
前記ポジティブ情報決定手段は、取得された当該他のユーザに係る事物若しくは事象に係る情報、及び／又は当該他のユーザにおける目標の達成度にも基づいて、当該ポジティブ情報を決定することを特徴とする請求項１から７のいずれか１項に記載の情報提供装置。
【請求項９】
前記ポジティブ情報決定手段は、当該ユーザ情報が、感情・気分について正若しくは良好であることを示す情報である場合、当該ユーザに対する称賛に係る内容のポジティブ情報を生成し、一方、当該ユーザ情報が、感情・気分について負若しくは不良であることを示す情報である場合、当該ユーザに対する共感若しくは励ましに係る内容のポジティブ情報を生成することを特徴とする請求項１から８のいずれか１項に記載の情報提供装置。
【請求項１０】
前記情報提供手段は、当該ユーザ情報及び／又は決定された達成度に基づいて待ち時間を決定し、当該ポジティブ情報を提供した後、当該待ち時間が経過してから、当該行動情報を提供することを特徴とする請求項１から８のいずれか１項に記載の情報提供装置。
【請求項１１】
ユーザの感情・気分、心理及び性格の少なくとも１つに係るユーザ情報に応じた内容の情報を提供する装置に搭載されたコンピュータを機能させるプログラムであって、
当該ユーザに係る事物又は事象についての当該ユーザにとっての目標を取得する目標取得手段と、
当該ユーザに係る事物又は事象に係る情報を取得し、当該目標の達成度を決定する達成度決定手段と、
当該ユーザ情報に基づいて、当該ユーザが当該目標を達成するための行動をとる心理状態になることを促すポジティブ情報を決定するポジティブ情報決定手段と、
取得された事物又は事象に係る情報、決定された達成度、及び当該目標に係る情報のうちの少なくとも１つを含む、当該目標に向けての当該ユーザによる行動に係る行動情報を決定する行動情報決定手段と、
当該ポジティブ情報を提供し、それと同時期に又はその後に、当該行動情報を提供する情報提供手段と
してコンピュータを機能させることを特徴とする情報提供プログラム。
【請求項１２】
ユーザの感情・気分、心理及び性格の少なくとも１つに係るユーザ情報に応じた内容の情報を提供する装置に搭載されたコンピュータにおける情報提供方法であって、
当該ユーザに係る事物又は事象についての当該ユーザにとっての目標を取得するステップと、
当該ユーザに係る事物又は事象に係る情報を取得し、当該目標の達成度を決定するステップと、
当該ユーザ情報に基づいて、当該ユーザが当該目標を達成するための行動をとる心理状態になることを促すポジティブ情報を決定するステップと、
取得された事物又は事象に係る情報、決定された達成度、及び当該目標に係る情報のうちの少なくとも１つを含む、当該目標に向けての当該ユーザによる行動に係る行動情報を決定するステップと、
当該ポジティブ情報を提供し、それと同時期に又はその後に、当該行動情報を提供するステップと
を有することを特徴とする情報提供方法。
【発明の詳細な説明】
【技術分野】
【０００１】
本発明は、端末のユーザに対する行動支援や、当該ユーザにおける行動変容・態度変容に係る技術に関する。
【背景技術】
【０００２】
近年、高機能・高性能の情報端末が広く普及しており、ユーザは当該端末を利用して種々様々なサービスを享受することが可能となっている。また、その中で現在、ユーザに対する行動支援サービスが注目されている。
【０００３】
例えば、特許文献１には、ユーザが行動目標を達成する可能性を高めることを目的とした行動目標達成支援システムが開示されている。具体的には、達成が困難な行動目標に対し、行動完了後に撮影された画像を利用して達成レベルを決定し、この達成レベルに応じて決定された提示用情報をユーザに提示することによって、ユーザに対する目標達成支援を実施している。
【０００４】
また、例えば特許文献２では、予め計画された行動が実行されない場合に、行動が阻害された要因を推定し、その要因を考慮した情報提供を実施することによって行動支援を実施する介入情報提供装置が開示されている。具体的には、対象者に関する行動の計画情報と、対象者の行動の実績情報とを取得して、これらの情報に基づいて行動の阻害要因を推定し、推定された阻害要因に応じた介入情報を出力部に出力させている。
【先行技術文献】
【特許文献】
【０００５】
【特許文献１】特開２０１８−４９３６０号公報
【特許文献２】特開２０１６−１８９０５９号公報
【発明の概要】
【発明が解決しようとする課題】
【０００６】
しかしながら、特許文献１及び２に記載された技術を含めた従来技術においては、行動支援用の情報がユーザに届いたとしても、このユーザ自身の感情状態や心理的特性によっては、意図したユーザの行動に結びつかず行動支援が奏功しない可能性が存在する。
【０００７】
例えば、特許文献１に記載された行動目標達成支援システムでは、ユーザの画像から決定された達成レベル、すなわち目標に対する客観的状況を考慮して提示用情報を決定している。また、特許文献２に記載された介入情報提供装置では、単純な達成状況に留まらず、ユーザの行動計画情報及び行動実績情報に基づいて推定された行動の阻害要因を考慮して、ユーザへ出力する介入情報を決定している。
【０００８】
このように特許文献１及び２に係る両技術とも、目標に対する客観的な状況や行動阻害要因をたしかに考慮してはいるが、例えばユーザ自身の感情状態や心理的特性といったユーザ側の情報をも考慮している技術とは言えない。すなわち、ユーザが、提供された情報を意図通りに受け入れるか否かについては対処がなされておらず、結果的に、一方的な行動支援を実施してしまう場合の生じることが懸念される。
【０００９】
そこで、本発明は、ユーザが行動支援のための情報をより受け入れやすい状況を生成可能な情報提供装置、プログラム及び方法を提供することを目的とする。
【課題を解決するための手段】
【００１０】
本発明によれば、ユーザの感情・気分、心理及び性格の少なくとも１つに係るユーザ情報に応じた内容の情報を提供する装置であって、
当該ユーザに係る事物又は事象についての当該ユーザにとっての目標を取得する目標取得手段と、
当該ユーザに係る事物又は事象に係る情報を取得し、当該目標の達成度を決定する達成度決定手段と、
当該ユーザ情報に基づいて、当該ユーザが当該目標を達成するための行動をとる心理状態になることを促すポジティブ情報を決定するポジティブ情報決定手段と、
取得された事物又は事象に係る情報、決定された達成度、及び当該目標に係る情報のうちの少なくとも１つを含む、当該目標に向けての当該ユーザによる行動に係る行動情報を決定する行動情報決定手段と、
当該ポジティブ情報を提供し、それと同時期に又はその後に、当該行動情報を提供する情報提供手段と
を有する情報提供装置が提供される。
【００１１】
この本発明による情報提供装置の一実施形態として、情報提供手段は、当該ユーザ情報が所定条件を満たす場合に、当該ポジティブ情報を提供することも好ましい。ここで、具体的に、情報提供手段は、
（ａ）当該ユーザ情報が、感情・気分について正若しくは良好であることを示す情報である場合に、または、
（ｂ）感情・気分について負若しくは不良であることを示す情報であることが連続してN回（Nは所定の自然数）未満である場合に、
当該ポジティブ情報を提供することも好ましい。
【００１２】
さらに、情報提供手段は、
（ｃ）当該ユーザ情報が、受け取った情報・意見を受容する傾向にあることを示す情報である場合に、当該ポジティブ情報を提供し、一方、当該ユーザ情報が、受け取った情報・意見を受容する傾向にないことを示す情報である場合、所定の遷移確率P（0≦P＜1）の下で当該ポジティブ情報を提供することも好ましい。
【００１３】
また、上記（ｃ）に関し、情報提供手段は、所定の遷移確率Pを、決定された達成度に基づいて設定することも好ましい。
【００１４】
さらに、本発明による情報提供装置の他の実施形態として、本情報適用装置は、他のユーザに係る事物若しくは事象に係る情報、及び／又は当該他のユーザにおける目標の達成度を取得する他ユーザ達成情報取得手段を更に有し、
ポジティブ情報決定手段は、取得された当該他のユーザに係る事物若しくは事象に係る情報、及び／又は当該他のユーザにおける目標の達成度にも基づいて、当該ポジティブ情報を決定し、
情報提供手段は、当該ユーザ情報が、競争心が高い傾向にある、または、他人の状況に影響を受けやすい傾向にあることを示す情報である場合に、当該ポジティブ情報を提供することも好ましい。
【００１５】
さらにまた、ポジティブ情報決定手段は、取得された事物若しくは事象に係る情報、及び／又は決定された達成度にも基づいて、当該ポジティブ情報を決定することも好ましい。
【００１６】
また、本発明による情報提供装置の更なる他の実施形態として、本情報提供装置は、他のユーザに係る事物若しくは事象に係る情報、及び／又は当該他のユーザにおける目標の達成度を取得する他ユーザ達成情報取得手段を更に有し、
ポジティブ情報決定手段は、取得された当該他のユーザに係る事物若しくは事象に係る情報、及び／又は当該他のユーザにおける目標の達成度にも基づいて、当該ポジティブ情報を決定することも好ましい。
【００１７】
さらに、本発明に係るポジティブ情報決定手段についての一実施形態として、当該ユーザ情報が、感情・気分について正若しくは良好であることを示す情報である場合、当該ユーザに対する称賛に係る内容のポジティブ情報を生成し、一方、当該ユーザ情報が、感情・気分について負若しくは不良であることを示す情報である場合、当該ユーザに対する共感若しくは励ましに係る内容のポジティブ情報を生成することも好ましい。
【００１８】
さらにまた、本発明による情報提供装置において、情報提供手段は、当該ユーザ情報及び／又は決定された達成度に基づいて待ち時間を決定し、当該ポジティブ情報を提供した後、当該待ち時間が経過してから、当該行動情報を提供することも好ましい。
【００１９】
本発明によれば、また、ユーザの感情・気分、心理及び性格の少なくとも１つに係るユーザ情報に応じた内容の情報を提供する装置に搭載されたコンピュータを機能させるプログラムであって、
当該ユーザに係る事物又は事象についての当該ユーザにとっての目標を取得する目標取得手段と、
当該ユーザに係る事物又は事象に係る情報を取得し、当該目標の達成度を決定する達成度決定手段と、
当該ユーザ情報に基づいて、当該ユーザが当該目標を達成するための行動をとる心理状態になることを促すポジティブ情報を決定するポジティブ情報決定手段と、
取得された事物又は事象に係る情報、決定された達成度、及び当該目標に係る情報のうちの少なくとも１つを含む、当該目標に向けての当該ユーザによる行動に係る行動情報を決定する行動情報決定手段と、
当該ポジティブ情報を提供し、それと同時期に又はその後に、当該行動情報を提供する情報提供手段と
してコンピュータを機能させる情報提供プログラムが提供される。
【００２０】
本発明によれば、さらに、ユーザの感情・気分、心理及び性格の少なくとも１つに係るユーザ情報に応じた内容の情報を提供する装置に搭載されたコンピュータにおける情報提供方法であって、
当該ユーザに係る事物又は事象についての当該ユーザにとっての目標を取得するステップと、
当該ユーザに係る事物又は事象に係る情報を取得し、当該目標の達成度を決定するステップと、
当該ユーザ情報に基づいて、当該ユーザが当該目標を達成するための行動をとる心理状態になることを促すポジティブ情報を決定するステップと、
取得された事物又は事象に係る情報、決定された達成度、及び当該目標に係る情報のうちの少なくとも１つを含む、当該目標に向けての当該ユーザによる行動に係る行動情報を決定するステップと、
当該ポジティブ情報を提供し、それと同時期に又はその後に、当該行動情報を提供するステップと
を有する情報提供方法が提供される。
【発明の効果】
【００２１】
本発明の情報提供装置、プログラム及び方法によれば、ユーザが行動支援のための情報をより受け入れやすい状況を生成してから、当該情報を提供することができる。
【図面の簡単な説明】
【００２２】
【図１】本発明による情報提供装置を含む情報提供システムの一実施形態を示す模式図である。
【図２】本発明による情報提供装置を含む情報提供システムの他の実施形態を示す模式図である。
【図３】本発明による情報提供方法の一実施形態を概略的に示す模式図である。
【発明を実施するための形態】
【００２３】
以下では、本発明の実施形態について、図面を用いて詳細に説明する。
【００２４】
［情報提供システム］
図１は、本発明による情報提供装置を含む情報提供システムの一実施形態を示す模式図である。
【００２５】
図１に示した本実施形態の情報提供システムは、
（ａ）所定の「目標」を掲げたユーザに対し、「ユーザ情報」に応じた内容の「行動情報」を提供可能な、本発明による情報提供装置としての情報提供サーバ１と、
（ｂ）情報提供サーバ１から通信ネットワークを介して「行動情報」を受信し、この「行動情報」をユーザへ提示するユーザ端末２と、
（ｃ）「ユーザ情報」を決定するためのユーザ基本情報を管理し、当該ユーザ基本情報を、通信ネットワークを介して情報提供サーバ１へ提供可能なユーザ基本情報管理サーバ３と
を備えている。
【００２６】
ここで、上記（ａ）の「ユーザ情報」は、ユーザの感情・気分、心理及び性格の少なくとも１つに関係する情報であり、本実施形態では、所定の「目標」を掲げたユーザにおける
（ａ１）「感情」、及び
（ａ２）「（取得した情報に対する捉え方を含む）ユーザ特性」
を含む情報となっている。
【００２７】
また、上記（ａ）及び（ｂ）の「行動情報」は、
（ｂ１）「目標」に関して取得された事物又は事象に係る情報、
（ｂ２）「目標」について決定された達成度、及び
（ｂ３）「目標」に係る情報
のうちの少なくとも１つを含む情報であり、「目標」に向けてのユーザによる行動に係る情報のことである。
【００２８】
例えば、「目標」が「1日あたりの歩数を8000歩以上にする」であれば、「行動情報」として例えば「今週は水曜日以外、8000歩以上歩きましたね。」を採用することができる。また、「体重を5kg減らす」が「目標」であれば、例えば「今、ダイエットの停滞期ですね。」を「行動情報」とすることも可能である。
【００２９】
同じく図１に示したように、上記（ａ）の情報提供サーバ１は、
（Ａ）ユーザに係る事物又は事象についての、ユーザにとっての「目標」を取得する目標取得・設定部１１１と、
（Ｂ）ユーザに係る事物又は事象に係る情報を取得し、「目標」の達成度を決定する達成度決定部１１２と、
（Ｃ）「ユーザ情報」に基づいて、ユーザが「目標」を達成するための行動をとる心理状態になることを促す「ポジティブ情報」を決定するポジティブ情報決定部１１５と、
（Ｄ）提供する「行動情報」を決定する行動情報決定部１１６と、
（Ｅ）決定された「ポジティブ情報」を提供し、それと同時期に又はその後に、決定された「行動情報」を提供する支援情報提供部１１７と
を有している。
【００３０】
このように、情報提供サーバ１は、ユーザが「目標」を達成するための行動をとる心理状態になることを促す「ポジティブ情報」を、「行動情報」に先立って（又は同時期に）提供する。その結果、この「ポジティブ情報」の提供によって、ユーザが行動支援のための情報をより受け入れやすい状況・態勢が形成可能となり、ユーザはより確実に、決定された「行動情報」を受け入れることが期待されるのである。
【００３１】
ここで、「ポジティブ情報」の具体的内容は後に詳細に説明するが、例えば、「目標」を設定したユーザにおける内発的な意識づけを強化するような情報であって、ユーザに正の感情を想起させ自発的な行動を促したり誘発したりするような情報とすることも好ましい。具体的には、ユーザに対する賞賛、激励や共感に係る情報を含んでいてもよい。
【００３２】
また、上記（Ｃ）で規定されているように、「ポジティブ情報」は、「ユーザ情報（本実施形態では感情やユーザ特性）」に応じて決定されるのであり、例えばユーザにおいて提供情報の受容度が高い状態を作り出し、より効率的に、ユーザによる「目標」達成に向けての行動を促すことも可能となるのである。
【００３３】
すなわち言い換えれば、情報提供サーバ１によれば、「ユーザ情報（本実施形態では感情やユーザ特性）」を考慮することによって、対象ユーザに適合したより効率的な行動支援を実施することが可能となるのである。
【００３４】
［情報提供サーバ］
図１の機能ブロック図に示すように、情報提供サーバ１は、通信インタフェース１０１と、ユーザ行動ログ保存部１０２と、ユーザ基本情報保存部１０３と、プロセッサ・メモリとを有する。
【００３５】
ここで、このプロセッサ・メモリは、本発明による情報提供プログラムの一実施形態を保存しており、また、コンピュータ機能を有していて、この情報提供プログラムを実行することによって、情報提供処理を実施する。このことから、情報提供サーバ１は、情報提供用の専用装置であってもよいが、本発明による情報提供プログラムを搭載した、例えばパーソナルコンピュータ（ＰＣ）、ノート型若しくはタブレット型コンピュータ等とすることも可能である。
【００３６】
さらに、プロセッサ・メモリは、目標取得・設定部１１１と、達成度決定部１１２と、他ユーザ達成情報取得部１１３と、感情判定部１１４ａ及びユーザ特性判定部１１４ｂを有するユーザ情報決定部１１４と、ポジティブ情報決定部１１５と、行動情報決定部１１６と、情報提供判定部１１７ａを有する支援情報提供部１１７と、通信制御部１２１とを有する。なお、これらの機能構成部は、プロセッサ・メモリに保存された情報提供プログラムの機能と捉えることができる。また、図１における情報提供サーバ１の機能構成部間を矢印で接続して示した処理の流れは、本発明による情報提供方法の一実施形態としても理解される。
【００３７】
同じく図１の機能ブロック図において、目標取得・設定部１１１は、行動支援対象のユーザ（本実施形態ではユーザ端末２のユーザ）に係る事物又は事象についての当該ユーザにとっての目標を取得する。ここで、この目標は、この目標取得・設定部１１１で予め設定されたり外部からの指定・指示によって与えられたりしたものであってもよいが、本実施形態では、当該ユーザが自ら設定し、自身の目標として認知しているものとする。
【００３８】
具体的には、ユーザがユーザ端末２のＵＩ（User Interface）を介して、例えば「1日あたりの歩数を8000歩以上にする」、「体重を70Kgから5kg減らす（ダイエットする）」や、「（エコのために）自動車ではなく公共交通機関を利用する」等の目標情報を入力し、目標取得・設定部１１１は、通信インタフェース１０１及び通信制御部１２１を介し、ユーザ端末２から送信されてきた目標情報を取得してもよい。
【００３９】
また、通信制御部１２１は本実施形態において、通信インタフェース１０１を介し、
（ａ）ユーザの行動ログを収集可能なユーザ端末２や他の機器から、「ユーザ行動ログ」を収集し、ユーザＩＤと紐づけてユーザ行動ログ保存部１０２に保存・管理させ、さらに、
（ｂ）ユーザ基本情報管理サーバ３（のＡＰＩ（Application Programming Interface））から、ユーザ情報を決定するための「ユーザ基本情報」を取得し、ユーザＩＤと紐づけてユーザ基本情報保存部１０３に保存・管理させる。
【００４０】
ここで、上記（ａ）の「ユーザ行動ログ」は、例えば、体重計による所定期間の体重測定結果（例えば日時情報の紐づけられた体重データ列）や、ユーザ端末２に内蔵された歩数計測計による所定期間の歩数計測結果（例えば日時情報の紐づけられた歩数データ列）、さらにはユーザ端末２に内蔵されたＧＰＳ（Global Positioning System）測位部による所定期間の位置情報（例えば地図情報及び日時情報の紐づけられた緯度・経度・高度データ列）等とすることができる。
【００４１】
また、このような「ユーザ行動ログ」は、体重計やユーザ端末２の内蔵機能部等から直接、情報提供サーバ１宛てに送信されてもよく、または、ユーザがユーザ端末２のＵＩを介して入力し、情報提供サーバ１宛てに送信してもよい。
【００４２】
さらに、「ユーザ行動ログ」として、ユーザ端末２におけるブラウザ・ソフトウェアの起動時間（ウェブページの閲覧時間）等、ユーザ端末２から取得可能な種々様々な時系列情報を採用することも可能である。
【００４３】
さらに、上記（ｂ）の「ユーザ基本情報」は、例えば、ユーザにおけるビッグファイブ（Big Five）等の性格特性診断の結果情報や、ユーザによる性格特性に関する自己申告情報・アンケート回答情報とすることができる。なお勿論、情報提供サーバ１は、このような「ユーザ基本情報」を、ユーザ基本情報サーバ３からではなく、例えばユーザ端末２から直接取得してもよい。
【００４４】
同じく図１の機能ブロック図において、達成度決定部１１２は、ユーザに係る事物又は事象に係る情報としての「ユーザ行動ログ」をユーザ行動ログ保存部１０２から取得し、目標取得・設定部１１１で取得・設定された目標を受けて、当該目標の達成度を決定する。ここで、決定される達成度は、ユーザに係る事物又は事象に係る進捗状況を示す値であってもよく、当該事物又は事象に係る量の累積値であってもよい。
【００４５】
例えば、「1日あたりの歩数を8000歩以上にする」との目標に対し、最近の所定期間（例えば30日間）における、取得した歩数データ列（ユーザ行動ログ）から決定された「目標達成日数（8000歩以上の歩数である日の累積数）」を達成度としてもよく、「達成した日の割合（例えば目標達成日数が24日ならば80％）」を達成度とすることも可能である。
【００４６】
また例えば、「体重を70kgから5kg減らす（ダイエットする）」との目標に対し、達成度決定時点における、取得した体重データ列（ユーザ行動ログ）から決定された「70kgからの体重減少分（例えば3kg）」を達成度としてもよく、「体重減少分の目標減少分に対する割合（例えば60％(＝3/5)）」を達成度とすることも可能である。
【００４７】
さらに例えば、「自動車ではなく公共交通機関を利用する」との目標に対し、最近の所定期間（例えば30日間）における、「公共交通機関の利用累積回数」及び「自動車の利用累積回数」の組を達成度としてもよく、両利用累積回数の差又は比を達成度とすることも可能である。
【００４８】
ここで、「公共交通機関」の利用は、公共交通機関の路線情報を含む地図情報の紐づけられた位置データ列（ユーザ行動ログ）から決定することができる。また、「自動車」の利用は、例えば自動車に設置された搭乗センサから搭乗情報を受信したユーザ端末２から取得された当該搭乗情報と、道路情報を含む地図情報の紐づけられた位置データ列（ユーザ行動ログ）とから決定することができる。また、当該搭乗情報が無くても、位置データ列（ユーザ行動ログ）から、道路の位置上を所定速度範囲の速度で移動していることが分かれば、「自動車」を利用していると判定することも可能である。
【００４９】
なお、達成度決定部１１２は、決定した達成度から目標が達成されたと判断した場合、行動支援が完了したものとして、支援情報提供部１１７に対しポジティブ情報及び行動情報の提供を停止するように指示を行うことも好ましい。
【００５０】
他ユーザ達成情報取得部１１３は、他のユーザのユーザ端末２から、
（ａ）当該他のユーザに係る「目標」、
（ｂ）当該他のユーザに係る事物又は事象に係る情報としての「ユーザ行動ログ」、及び
（ｃ）当該他のユーザにおける目標の達成度
のうちの少なくとも１つを取得する。例えば、他のユーザにおける「目標」、当該目標に係る「ユーザ行動ログ」及び「達成度」に対し当該他のユーザのユーザＩＤが紐づけられたデータを取得することができる。
【００５１】
また、他ユーザ達成情報取得部１１３は、取得したこれらの情報から、「同一の目標に取り組んでいる人の数」や「類似する目標（例えば歩数に関する目標）に取り組んでいる人の数」を算出することもできる。また、他のユーザにおける「ユーザ行動ログ」から、当該他のユーザの「達成度」を決定することも可能である。さらに、同一の「目標」を設定している複数の他のユーザにおける「達成度」の平均値を算出することも好ましい。
【００５２】
同じく図１の機能ブロック図において、ユーザ情報決定部１１４は、ユーザ行動ログ保存部２０１に保存・管理された「ユーザ行動ログ」やユーザ基本情報保存部１０３に保存・管理された「ユーザ基本情報」から、行動支援対象のユーザにおける気分・感情や心理学的な特性・性格（パーソナリティ）を決定する。
【００５３】
具体的に本実施形態では、ユーザ情報決定部１１４の感情判定部１１４ａが、「ユーザ行動ログ」として取得された「ウェブページの閲覧時間」や「ＧＰＳ位置情報」等に基づき、これらの情報と「気分」正解データとによって予め構築された気分判定モデルを用いて、ユーザの「気分」を判定する。ここで本実施形態では、「気分」は、「正の気分」と「負の気分」の2値で表現され、当該判定時のリアルタイムの判定結果として取り扱われる。
【００５４】
ちなみに、上記の気分判定モデルは、ランダムフォレスト、ＳＶＭ（Support Vector Machine）や、ニューラルネットワーク等の機械学習アルゴリズムをもって構築することができる。また、学習データとして、ユーザの性格特性に関する自己申告結果やアンケート回答結果（ユーザ基本情報）から生成した情報をも用いることも好ましい。
【００５５】
さらに本実施形態では、ユーザ情報決定部１１４のユーザ特性判定部１１４ｂが、「ユーザ基本情報」としての（Big Five等の）性格特性診断結果情報（例えばパーソナリティ情報）や、ユーザによる性格特性に関する自己申告情報・アンケート回答情報（例えば、流されやすいタイプか否か、譲らないタイプか否か、頑固なタイプか否か等についての回答情報）から、ユーザの受容性スコアを決定する。ここで、受容性スコアは、その数値が高いほど、（周囲の人の意見等の）取得した情報を受け入れて自身の行動に取り入れる高受容性タイプであることを示す指標となっている。
【００５６】
ちなみに、このような受容性スコアも、ランダムフォレスト、ＳＶＭや、ニューラルネットワーク等の機械学習アルゴリズムをもって構築された受容性スコア判定モデルを用いて決定されてもよく、または、数値化した診断結果等を所定の算定式に当てはめて算出されてもよい。さらに、感情判定部１１４ａと同様、「ユーザ行動ログ」も含めた教師データをもってこの受容性スコア判定モデルを構築することも可能である。
【００５７】
また、本実施形態では以後、受容性スコアが所定閾値以上であるユーザを「高受容性」ユーザとし、一方、所定閾値未満であるユーザを「低受容性」ユーザとして、ユーザ特性を2値で表現する。
【００５８】
ポジティブ情報決定部１１５は、決定された「達成度」が「目標」の達成を示していない場合、
（ａ）決定された「ユーザ情報」、
（ｂ）取得された「ユーザ行動ログ」、及び
（ｃ）決定された「達成度」
のうちの少なくとも１つに基づいて、ユーザが「目標」を達成するための行動をとる心理状態になることを促す「ポジティブ情報」を決定する。
【００５９】
具体的に本実施形態では、「目標」の達成に向け、進捗状況（例えば達成度、優位か否か、中間成果）や、達成に向けての努力（行動の度合い）に対する称賛、励ましや、共感を表す情報を「ポジティブ情報」とすることができる。例えば、
成果に対する称賛：「順調にダイエットが進んでるね！目標まであと1.5kgだよ。」
優位に対する称賛：「Ａグループの中で最も達成度が高いよ！」
努力に対する称賛：「毎日少なくとも5000歩は歩いているね。素晴らしい！」
励まし：「Ｂグループの平均達成度6割を上回っているから頑張ろう！」
共感：「忙しいこの時期、歩く時間をつくるだけでも大変だよね。」
といった会話音声・テキスト情報を「ポジティブ情報」としてもよい。
【００６０】
ちなみに、このような会話音声・テキスト情報は、例えば空欄に適切な「ユーザ情報」、「ユーザ行動ログ」や、「達成度」を当て嵌めれば文として完成するようなテンプレートを予めタイプ別に準備しておき、それらを適宜、例えば「目標」及び「達成度」に基づき、選択して使用することによって作成することができる。
【００６１】
ポジティブ情報決定部１１５は、さらに、他ユーザ達成情報取得部１１３から取得した他のユーザに係る「ユーザ行動ログ」及び／又は「達成度」にも基づいて「ポジティブ情報」を決定することも好ましい。例えば、上記の「Ａグループの中で最も達成度が高いよ！」や「Ｂグループの平均達成度6割を上回っているから頑張ろう！」といった「ポジディブ情報」は、他のユーザの「目標」及び「達成度」に基づいて決定されている。
【００６２】
さらにまた、ポジティブ情報決定部１１５は、
（ａ）「ユーザ情報」が、感情・気分について正若しくは良好であることを示す情報（本実施形態では「正の気分」）である場合、ユーザに対する称賛に係る内容の「ポジティブ情報」を生成し、一方、
（ｂ）「ユーザ情報」が、感情・気分について負若しくは不良であることを示す情報（本実施形態では「負の気分」）である場合、ユーザに対する共感若しくは励ましに係る内容の「ポジティブ情報」を生成する
ことも好ましい。
【００６３】
ちなみに、ポジティブ情報決定部１１５は、後に詳述する情報提供判定部１１７ａから、情報を提供する旨の判定結果を受け取った場合に、「ポジティブ情報」を生成することも好ましく、または、当該判定結果にかかわらず、予め「ポジティブ情報」を生成しておく態様をとることも可能である。
【００６４】
同じく図１の機能ブロック図において、行動情報決定部１１６は、
（ａ）決定された「ユーザ情報」、
（ｂ）決定された「達成度」、及び
（ｃ）設定された「目標」に係る情報
のうちの少なくとも１つを含む、当該「目標」に向けてのユーザによる行動に係る「行動情報」、好ましくはユーザが取るべき行動を示す「行動情報」を決定する。
【００６５】
具体的に本実施形態では、「行動情報」として、
「順調です、あと1.5kg。このままいけば、あと1ヶ月で達成できるかも！？」
「停滞期かも。1ヶ月くらい我慢して継続すれば変化があるかも！？」
「昨日の歩数は、12,325名の中で、364番目でした！」
「1週間続けて、たくさん歩きましたね！」
といった会話音声・テキスト情報を採用することができる。
【００６６】
ちなみに、このような会話音声・テキスト情報も、例えば空欄に適切な「ユーザ情報」、「達成度」や、「目標」を当て嵌めれば文として完成するようなテンプレートを予めタイプ別に準備しておき、それらを適宜、例えば「目標」及び「達成度」に基づき、選択して使用することによって作成することができる。
【００６７】
また、１つの好適な実施態様として、「行動情報」を、
（ａ）提示対象ユーザにおける「目標」の「達成度」に係る情報、及び
（ｂ）他ユーザにおける「目標」の「達成度」との比較（又は差分）に係る情報
のいずれか一方又は両方とすることも可能である。
【００６８】
ちなみに、行動情報決定部１１６も、後に詳述する情報提供判定部１１７ａから、情報を提供する旨の判定結果を受け取った場合に、「行動情報」を生成することも好ましく、または、当該判定結果にかかわらず、予め「行動情報」を生成しておく態様をとることも可能である。
【００６９】
支援情報提供部１１７は、生成された「ポジティブ情報」をユーザ（ユーザ端末２）に向けて提供させ、それと同時期に又はその後に、生成された「行動情報」をユーザ（ユーザ端末２）に向けて提供させる。具体的に本実施形態では、これらの情報を、通信制御部１２１及び通信インタフェース１０１を介し、通信ネットワークを通してユーザ端末２へ送信し、ユーザ端末２の画面にテキスト情報として表示させる（又はユーザ端末２のスピーカから音声情報として出力させる）ことも好ましい。またその際、このテキスト情報は、メール配信、ウェブページ掲載又はプッシュ通知として送信され、表示されることも好ましい。
【００７０】
ここで、この支援情報提供部１１７の情報提供判定部１１７ａは、上述したような「ポジティブ情報」や「行動情報」の提供を実施するか否かを、「ユーザ情報」に基づいて判定する。すなわち、支援情報提供部１１７は、「ユーザ情報」が所定条件を満たす場合に、「ポジティブ情報」及び「行動情報」を提供するのである。
【００７１】
例えば、情報提供判定部１１７ａは、
（判定ａ）「ユーザ情報」が、感情・気分について正若しくは良好であることを示す情報（本実施形態では「正の気分」）である場合に、「ポジティブ情報」及び「行動情報」を提供するとの判定を行ってもよい。または、
（判定ｂ）「ユーザ情報」が、感情・気分について負若しくは不良であることを示す情報（本実施形態では「負の気分」）であることが（以上に述べた処理ループの中で）連続してN回（Nは所定の自然数）未満である場合に、「ポジティブ情報」及び「行動情報」を提供するとの判定を行ってもよい。
【００７２】
さらに、情報提供判定部１１７ａは、
（判定ｃ）「ユーザ情報」が、受け取った情報・意見を受容する傾向にあることを示す情報（本実施形態では「高受容性」）である場合に「ポジティブ情報」及び「行動情報」を提供し、一方、「ユーザ情報」が、受け取った情報・意見を受容する傾向にないことを示す情報（本実施形態では「低受容性」）である場合、所定の遷移確率P（0≦P＜1）の下で「ポジティブ情報」及び「行動情報」を提供するとの判定を行うことも好ましい。
【００７３】
ここで、上記の遷移確率Pは、ユーザの情報受容度が低い状況にあるので、0.5未満の値とする、すなわち情報提供しない確率を、情報提供する確率よりも高くすることも好ましい。また、遷移確率Pは、決定された「達成度」に基づいて設定されてもよい。例えば、「達成度」が低いほど遷移確率Pをより高い値に設定することも好ましい。これにより、「達成度」がより低く、「行動情報」をより積極的に受け入れるべきであるユーザであるほど、「ポジティブ情報」をより高い頻度で提示して受け入れ態勢を整えさせることも可能となる。
【００７４】
なお、上記の(判定ａ)〜（判定ｃ）は、情報提供判定としてそれぞれ単独で実施されてもよく、または、いずれか2つ又は3つ全てにおける判定結果のＯＲ条件をもって情報提供判定を実施することも可能である（例えば、判定a及び判定cの少なくとも一方が情報提供するとの結果であれば情報提供を実施すると判定することも可能である）。さらに、いずれか2つ又は3つ全てにおける判定結果のＡＮＤ条件をもって情報提供判定を実施してもよい（例えば、判定a及び判定cの両方が情報提供するとの結果であれば情報提供を実施すると判定してもよい）。
【００７５】
具体的にこのような情報提供判定の１つの好適な実施態様として、
・「正の気分」及び「高受容性」である場合に、称賛に係る「ポジティブ情報」と「行動情報」とを提供することを判定し、
・「負の気分」及び「高受容性」である場合に、励まし又は共感に係る「ポジティブ情報」と「行動情報」とを提供することを判定し、ただし、以上に述べた処理ループの中で「負の気分」が連続してN回（Nは所定の自然数）以上となった場合には情報提供しないと判定する
ことも好ましい。
【００７６】
いずれにしても、以上に説明したような情報提供判定処理を実施することによって、「ポジティブ情報」がより受け入れられやすい状況を見極め、そのような状況において効率的に「ポジティブ情報」をユーザに提示することが可能となる。すなわち、「行動情報」をより受け入れやすい状況・態勢を形成するための「ポジティブ情報」自体を、受け入れ可能な状況・態勢であるか否かを見極め、より高い効果が見込まれる場合にのみ提示し、そうでない場合には、無駄又は逆効果となりかねない「ポジティブ情報」提示を回避することも可能となるのである。
【００７７】
また、情報提供判定部１１７ａは、「ユーザ情報」が、競争心の高い傾向にある、または、他人の状況に影響を受けやすい傾向にあることを示す情報である場合に、「ポジティブ情報」及び「行動情報」を提供するとの判定を行うことも好ましい。またこの場合、提供する「ポジティブ情報」は、
（ａ）取得された他のユーザに係る「ユーザ情報」、及び
（ｂ）当該他のユーザにおける「達成度」
のいずれか一方又は両方にも基づいて決定された内容を有する情報とすることも好ましい。例えば、「Ｃさんの達成度は7割。まだ負けてないから頑張ろう！」をこの場合の「ポジティブ情報」とすることができる。
【００７８】
ちなみに、支援情報提供部１１７は、情報提供判定部１１７ａが情報提供を行うとの判定を行ってから所定時間（例えば1時間）以内に「ポジティブ情報」を提供する（表示させる）ことも好ましい。また、「ポジティブ情報」を提供してから（表示させてから）所定時間経過後に「行動情報」を提供してもよい（表示させてもよい）。ここで、この所定時間としては、例えば5〜30分の間からランダムに選択された時間とすることができる。
【００７９】
また好適な変更態様として、支援情報提供部１１７は、「ユーザ情報」及び「達成度」のいずれか一方又は両方に基づいて待ち時間を決定し、「ポジティブ情報」を提供した後、当該待ち時間が経過してから、「行動情報」を提供することも好ましい。例えば「高受容性」ユーザであって「目標」達成まであとわずか（「達成度」が所定閾値以上）であるならば、最後の行動を促すべく当該待ち時間をより短時間に設定してもよい。
【００８０】
［情報提供端末］
図２は、本発明による情報提供装置を含む情報提供システムの他の実施形態を示す模式図である。
【００８１】
図２に示した情報提供システムは、本発明による情報提供装置として情報提供端末５を含むことを特徴とする。すなわち、情報提供端末５は、図１に示した情報提供サーバ１と同じく「ポジティブ情報」及び「行動情報」を提供可能な装置となっている。
【００８２】
この情報提供端末５は、具体的に図２の機能ブロック図に示すように、通信インタフェース５０１と、ユーザ行動ログ保存部５０２と、ユーザ基本情報保存部５０３と、ＧＰＳ測位部５０４と、加速度センサ５０５と、タッチパネル・ディスプレイ（ＴＰ・ＤＰ）５０６と、スピーカ５０７と、プロセッサ・メモリとを有する。
【００８３】
ここで、このプロセッサ・メモリは、本発明による情報提供プログラムの一実施形態を保存しており、また、コンピュータ機能を有していて、この情報提供プログラムを実行することによって、情報提供処理を実施する。このことから、情報提供端末５は、情報提供用の専用端末であってもよいが、本発明による情報提供プログラムを搭載した、例えばスマートフォン、ノート型若しくはタブレット型コンピュータや、パーソナルコンピュータ（ＰＣ）等とすることも可能である。
【００８４】
さらに、プロセッサ・メモリは、目標取得・設定部５１１と、達成度決定部５１２と、他ユーザ達成情報取得部５１３と、感情判定部５１４ａ及びユーザ特性判定部５１４ｂを有するユーザ情報決定部５１４と、ポジティブ情報決定部５１５と、行動情報決定部５１６と、情報提供判定部５１７ａを有する支援情報提供部５１７と、通信制御部５２１とを有する。なお、これらの機能構成部は、プロセッサ・メモリに保存された情報提供プログラムの機能と捉えることができる。また、図２における情報提供端末５の機能構成部間を矢印で接続して示した処理の流れは、本発明による情報提供方法の一実施形態としても理解される。
【００８５】
ここで、以上に述べた機能構成部のうち、図１の情報提供サーバ１の機能構成部の中に同名のものがある機能構成部は、当該同名の機能構成部と概ね同様の機能を有しており、ここでは説明を省略する。以下、情報提供端末５において特徴的な役割を果たす機能構成部について説明を行う。
【００８６】
ＧＰＳ測位部５０４は、ＧＰＳの測位電波を用いて情報提供端末５の現在位置情報（緯度，経度及び高度情報）を生成する。また、加速度センサ５０５は、情報提供端末５自体の受ける加速度の情報を生成する。さらに、ウェブ閲覧履歴解析部５２２は、様々なウェブサーバ７から通信インタフェース５０１及び通信制御部５２１を介して受信されたウェブページ情報を解析し、情報提供端末５（のユーザ）におけるウェブ閲覧履歴（閲覧ログ）情報を生成する。
【００８７】
行動ログ生成部５２３は、情報提供端末５（のユーザ）に係る「ユーザ行動ログ」を生成して、ユーザ行動ログ保存部５０２に保存・管理させる。例えば、加速度センサ５０５から取得した加速度情報を用いて、日時情報の紐づけられたユーザの歩数情報を生成してもよい。また、ウェブ閲覧履歴解析部５２２から取得したウェブ閲覧履歴情報から、情報提供端末５（のユーザ）に係るウェブページの閲覧時間情報や閲覧ウェブページの種別傾向情報を生成することも好ましい。さらに、ＧＰＳ測位部５０４から取得した現在位置情報から日時情報の紐づけられたユーザ位置履歴情報を生成してもよい。
【００８８】
いずれにしてもこれらの生成された情報（ユーザ行動ログ）は、ユーザ情報決定部５１４の感情判定部５１４ａにおけるユーザの「気分」判定処理に使用されることも好ましい。また、このように情報提供端末５においては、「ユーザ行動ログ」を自らの装置内で生成し利用することができるので、ユーザの「気分」のような「ユーザ情報」をより速やかに且つ確実に決定することも可能となるのである。
【００８９】
さらに、情報提供端末５は、目標取得・設定部５１１で取得・設定された「目標」や達成度決定部５１２で決定された「達成度」を、ユーザ達成情報管理サーバ６に送信することも好ましい。これにより、情報提供端末５の他ユーザ達成情報取得部５１３は、他のユーザの情報提供端末５の「目標」や「達成度」を、ユーザ達成情報管理サーバ６から取得することができる。
【００９０】
以上説明したように、情報提供端末５においても、図１に示した情報提供サーバ１と同様、「ポジティブ情報」の提供によって、ユーザが行動支援のための情報をより受け入れやすい状況・態勢を形成してから、決定された「行動情報」をユーザに提供することが可能となる。なお、情報提供端末５は、このような「ポジティブ情報」及び「行動情報」の提供を、タッチパネル・ディスプレイ５０６に該当テキスト情報を表示することによって、またはスピーカから該当音声情報を出力することによって、ユーザに対し直接的に実施するのである。
【００９１】
［情報提供方法］
図３は、本発明による情報提供方法の一実施形態を概略的に示す模式図である。ちなみに以下、図１に示した情報提供サーバ１における処理として各ステップを説明しているが、当然、図２に示した情報提供端末５における処理として捉えることも可能となっている。
【００９２】
（ステップＳ１）達成度決定部１１２及びユーザ情報決定部１１４は、「目標」、「ユーザ行動ログ」及び「ユーザ基準情報」から、情報提供対象ユーザにおける「達成度」、「気分」及び「（受けた情報に対する）受容性」を決定する。なお、決定した「達成度」が「目標」達成を示すものである場合、この段階で本情報提供処理を終了してもよい。
【００９３】
（ステップＳ２）情報提供判定部１１７ａは、ステップＳ１の決定処理後であって所定時間が経過した際、又は所定のトリガ事項（例えば装置１の起動やスリープモードの解除）が発生した際、「ポジティブ情報」及び「行動情報」を提供するか否かの判定を行う。ここで、この判定は、ステップＳ１で決定された「達成度」、「気分」及び「受容性」のうちの少なくとも１つを判定条件として実施される。
【００９４】
ここで、このステップＳ２の判定において、所定条件の下、遷移確率Pで情報提供を行う設定となっている場合におけるこの遷移確率Pも、ステップＳ１で決定された「達成度」、「気分」及び「受容性」、並びに他ユーザ達成情報取得部１１３で取得された他のユーザの「達成度」のうちの少なくとも１つに基づいて決定される。
【００９５】
（ステップＳ３）ステップＳ２で情報提供を行うとの判定が行われた場合、支援情報提供部１１７は、ランダムに選択された待ち時間の経過後、情報提供対象ユーザに対し、「ポジティブ情報」をまず提示させ（ユーザ端末２に表示させ）、その後、さらにランダムに選択された待ち時間の経過後、「行動情報」を提示させる（ユーザ端末２に表示させる）。
【００９６】
ここで、提示する「ポジティブ情報」は、ステップＳ１で決定された「達成度」、「気分」及び「受容性」、並びに他ユーザ達成情報取得部１１３で取得された他のユーザの「達成度」のうちの少なくとも１つに基づいて決定される。また、提示する「行動情報」は、ステップＳ１で決定された「達成度」及び他ユーザ達成情報取得部１１３で取得された他のユーザの「達成度」のうちの少なくとも１つに基づいて決定される。
【００９７】
なお、１つの好適な実施形態として、提示した「ポジティブ情報」とその後の「達成度」の増分とのログをとっておき、新たに提供する「ポジティブ情報」を選択する際、「達成度」の増分の過去所定期間における平均値が最も多いものを選択することも好ましい。
【００９８】
（ステップＳ４）一方、ステップＳ２で情報提供を行わないとの判定が行われた場合、次の情報提供処理のタイミングまでウィイトとすべく、所定時間の経過後、再度ステップＳ１に戻って、以上説明した処理を繰り返す。なお、ユーザより本情報提供処理の終了の指示を受けた場合、この段階で又はステップＳ３の処理実施後に本処理を終了してもよい。
【００９９】
このように本実施形態の情報提供方法によれば、少なくとも設定された「目標」が達成されるまで、ユーザの感情やユーザ特性に応じて適宜（定期的に、所定のトリガによって又は所定のタイミングで）、「ポジティブ情報」及びそれに続く「行動情報」を、行動支援対象のユーザに繰り返し提供することも可能となる。
【０１００】
以上、詳細に説明したように、本発明によれば、ユーザが「目標」を達成するための行動をとる心理状態になることを促す「ポジティブ情報」を、「行動情報」に先立って（又は同時期に）提供する。その結果、この「ポジティブ情報」の提供によって、ユーザが行動支援のための情報をより受け入れやすい状況・態勢が形成可能となり、ユーザはより確実に、決定された「行動情報」を受け入れることが期待されるのである。
【０１０１】
以上に述べた本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【０１０２】
１  情報提供サーバ（情報提供装置）
１０１、５０１  通信インタフェース
１０２、５０２  ユーザ行動ログ保存部
１０３、５０３  ユーザ基本情報保存部
１１１、５１１  目標取得・設定部
１１２、５１２  達成度決定部
１１３、５１３  他ユーザ達成情報取得部
１１４、５１４  ユーザ情報決定部
１１４ａ、５１４ａ  感情判定部
１１４ｂ、５１４ｂ  ユーザ特性判定部
１１５、５１５  ポジティブ情報決定部
１１６、５１６  行動情報決定部
１１７、５１７  支援情報提供部
１１７ａ、５１７ａ  情報提供判定部
１２１、５２１  通信制御部
２  ユーザ端末２
３  ユーザ基本情報管理サーバ
５  情報提供端末（情報提供装置）
５０４  ＧＰＳ測位部
５０５  加速度センサ
５０６  タッチパネル・ディスプレイ（ＴＰ・ＤＰ）
５０７  スピーカ
５２２  ウェブ閲覧履歴解析部
５２３  行動ログ生成部
６  ユーザ達成情報管理サーバ
７  ウェブサーバ
【図１】
2020170217.tif 000003
【図２】
2020170217.tif 000004
【図３】
2020170217.tif 000005